(57)【要約】【課題】高さ調節可能な座席本体を有して移動可能な座席付き育児器具において、不使用時における占有面積を小さくする。【解決手段】座席付き育児器具は、座席本体１０と、座席本体１０を高さ調節可能に支持するベース部材２０と、上端部がベース部材２０に連結され、下端部に前輪２３を有する前脚２１と、上端部がベース部材２０に連結され、下端部に後輪２４を有する後脚２２とを備える。前脚２１および後脚２２のうちの少なくともいずれか一方の上端部は、ベース部材２０に回動可能に連結され、折畳み状態においては、前輪２３と後輪２４とが互いに近づいて自立する。【選択図】図１
2007097815.tif 000002
【特許請求の範囲】
【請求項１】
座席本体と、
前記座席本体を高さ調節可能に支持するベース部材と、
上端部が前記ベース部材に連結され、下端部に前輪を有する前脚と、
上端部が前記ベース部材に連結され、下端部に後輪を有する後脚とを備え、
前記前脚および後脚のうちの少なくともいずれか一方の上端部は、前記ベース部材に回動可能に連結され、
折畳み状態においては、前記前輪と後輪とが互いに近づいて自立する、座席を備えた育児器具。
【請求項２】
前記前脚および後脚の両者の上端部が、前記ベース部材に回動可能に連結されている、請求項１に記載の座席を備えた育児器具。
【請求項３】
前記前脚および後脚のうちの一方の上端部が前記ベース部材に回動可能に連結され、他方の上端部が前記ベース部材に固定されている、請求項１に記載の座席を備えた育児器具。
【請求項４】
前記座席本体は、座部と、背もたれ部と、前記座部を支える座部支え部材と、前記座部支え部材に固定されて下方に延びる柱部材とを備え、
前記柱部材が、前記ベース部材に高さ調節可能に支持されている、請求項１〜３のいずれかに記載の座席を備えた育児器具。
【請求項５】
前記座席本体は、座部と、後傾可能な背もたれ部と、前記座部を前後方向に揺動可能に支える座部支え部材とを備える、請求項１〜４のいずれかに記載の座席を備えた育児器具。
【請求項６】
前記育児器具は、室内用子供座席である、請求項１〜５のいずれかに記載の座席を備えた育児器具。
【請求項７】
前記育児器具は、乳母車である、請求項１〜５のいずれかに記載の座席を備えた育児器具。
【請求項８】
座席の座部を支えるための座部支え部材と、
前記座部支え部材を高さ調節可能に支持するベース部材と、
上端部が前記ベース部材に連結され、下端部に前輪を有する前脚と、
上端部が前記ベース部材に連結され、下端部に後輪を有する後脚とを備え、
前記前脚および後脚のうちの少なくともいずれか一方の上端部は、前記ベース部材に回動可能に連結され、
折畳み状態においては、前記前輪と後輪とが互いに近づいて自立する、座席運搬車。
【発明の詳細な説明】
【技術分野】
【０００１】
この発明は、座席を備えた育児器具および座席運搬車に関し、特に移動可能でかつ折畳み可能な座席付き育児器具に関するものである。
【背景技術】
【０００２】
上記のような座席付き育児器具として、室内用子供座席や乳母車等がある。特開２００３−２２５１４５号公報（特許文献１）は、室内用子供座席を開示している。この公報に開示された室内用子供座席は、ベッド部と、このベッド部を高さ調節可能でかつ前後方向に揺動可能に支持する脚部とを備える。脚部の下端部には車輪が取り付けられているので、室内用子供座席を任意の位置に移動させることができる。
【０００３】
上記公報に開示された室内用子供座席において、脚部は、所定の間隔を隔てて左右側部で前後方向に延びる１対の下部フレームと、各下部フレームの中央部分から上方に立上って延びている１対の固定スリーブと、各固定スリーブに摺動可能に支持されたスライド支柱とを備える。
【特許文献１】特開２００３−２２５１４５号公報
【発明の開示】
【発明が解決しようとする課題】
【０００４】
特開２００３−２２５１４５号公報に開示されたような室内用子供座席において、使用しないときには、全体の嵩張りを小さくするためにベッド部を最も低い位置にまで下げ、さらに子供座席を居住者にとって邪魔にならない位置にまで移動させる。
【０００５】
しかしながら、従来の室内用子供座席においては、前後方向に長く延びる１対の下部フレームを有する脚部が大きな面積を占めるので、不使用時における子供座席の嵩張りをあまり小さくすることができず、邪魔な存在となる。
【０００６】
本発明の目的は、高さ調節可能な座席本体を有して移動可能な座席付き育児器具において、不使用時における占有面積を小さくすることである。
【課題を解決するための手段】
【０００７】
この発明に従った座席付き育児器具は、座席本体と、座席本体を高さ調節可能に支持するベース部材と、上端部がベース部材に連結され、下端部に前輪を有する前脚と、上端部がベース部材に連結され、下端部に後輪を有する後脚とを備える。前脚および後脚のうちの少なくともいずれか一方の上端部は、ベース部材に回動可能に連結され、折畳み状態においては、前輪と後輪とが互いに近づいて自立する。
【０００８】
上記構成の本発明によれば、前脚および後脚のうちの少なくともいずれか一方の上端部がベース部材に回動可能に連結され、折畳み状態においては前輪と後輪とが互いに近づいて自立するので、不使用時における育児器具の占有面積を小さくすることができる。
【０００９】
一つの実施形態では、前脚および後脚の両者の上端部が、ベース部材に回動可能に連結されている。他の実施形態では、前脚および後脚のうちの一方の上端部がベース部材に回動可能に連結され、他方の上端部がベース部材に固定されている。
【００１０】
一つの実施形態では、座席本体は、座部と、背もたれ部と、座部を支える座部支え部材と、座部支え部材に固定されて下方に延びる柱部材とを備える。柱部材は、ベース部材に高さ調節可能に支持される。
【００１１】
一つの実施形態では、座席本体は、座部と、後傾可能な背もたれ部と、座部を前後方向に揺動可能に支える座部支え部材とを備える。座席付き育児器具の一つの例は室内用子供座席であり、他の例は乳母車である。
【００１２】
この発明に従った座席運搬車は、座席の座部を支えるための座部支え部材と、座部支え部材を高さ調節可能に支持するベース部材と、上端部がベース部材に連結され、下端部に前輪を有する前脚と、上端部がベース部材に連結され、下端部に後輪を有する後脚とを備える。前脚および後脚のうちの少なくともいずれか一方の上端部は、ベース部材に回動可能に連結される。折畳み状態においては、前輪と後輪とが互いに近づいて自立する。
【発明を実施するための最良の形態】
【００１３】
図１は、この発明に従った座席付き育児器具の一実施形態である室内用子供座席を図解的に示す側面図である。図示する室内用子供座席は、座席本体１０と、座席本体１０を高さ調節可能に支持するベース部材２０と、上端部がベース部材２０に連結され、下端部に前輪２３を有する前脚２１と、上端部がベース部材２０に連結され、下端部に後輪２４を有する後脚２２とを備える。
【００１４】
座席本体１０は、座部１１と、背もたれ部１２と、座部を支える座部支え部材１３と、座部支え部材１３に固定されて下方に延びる柱部材１４とを有する。好ましくは、想像線で示すように、背もたれ部１２はベッド状の形態になるまで後傾可能に設けられている。さらに好ましくは、座部支え部材１３は、座部１１を前後方向に揺動可能に支えている。
【００１５】
上下方向に延びる柱部材１４は、ベース部材２０の貫通穴（図示せず）内に上下移動可能に受入れられており、適当なロック手段によって任意の高さ位置で固定されるようになっている。図１では、最も下方の位置にある座席本体１０を実線で示している。また、上方の位置（誇張して図示している）にある座席本体１０を想像線で示している。
【００１６】
前脚２１および後脚２２は、それぞれ、ベース部材２０の両側部に位置するように一対設けられている。前輪２３および後輪２４は、室内の床面ＦＬ上を転動する。前脚２１および後脚２２のうちの少なくともいずれか一方の上端部は、ベース部材２０に回動可能に連結される。図示した実施形態では、前脚２１および後脚２２の両者の上端部が、軸２５を介して、ベース部材２０に回動可能に連結されている。
【００１７】
通常の使用状態では、図１において実線で示すように、前脚２１は前方に向かって長く延び、後脚２２は後方に向かって長く延びている。そのため、前輪２３と後輪２４とは、互いに離れて位置する。必要に応じて、背もたれ部１２を起こして椅子状の形態にしたり、背もたれ部１２を寝かせてベッド状の形態にする。さらに、必要に応じて、座席本体１０の高さを適宜調節する。
【００１８】
室内用子供座席を使用しないときには、全体の高さを減ずるために、座席本体１０を最も低い位置にまで下げる。さらに、室内用子供座席の占有面積を小さくするために、図１において想像線で示すように、前輪２３と後輪２４とが互いに近づくように前脚２１および後脚２２をベース部材２０に対して回動させる。折畳み状態においては、前輪２３と後輪２４とが床面ＦＬ上に位置し、室内用子供座席の自立を可能にしている。
【００１９】
図２は、他の実施形態に係る室内用子供座席を図解的に示す側面図である。図１および図２において同一の参照番号は、同一または相当の要素を示すものであるので、それらについての重複した説明を省略する。
【００２０】
図２に示す室内用子供座席は、座部１１の前方底面部にステップ部材１５を備えている。ステップ部材１５は、軸１６を介して、座部１１の前方底面部に回動可能に連結されている。必要に応じて、ステップ部材１５の角度を適宜変更する。
【００２１】
図２に示した室内用子供座席では、前輪３３を有する前脚３１の上端部はベース部材２０に固定され、後輪３４を有する後脚３２の上端部は、軸３５を介して、ベース部材２０に回動可能に連結されている。室内用子供座席を使用しないときには、子供座席の占有面積を小さくするために、想像線で示すように、後輪３４が前輪３３に近づくように後脚３２をベース部材２０に対して回動させる。折畳み状態においては、前輪３３および後輪３４が近づいて床面上に位置するので、室内用子供座席の自立が可能となる。
【００２２】
図１および図２は、座席付き育児器具の一実施形態として、室内用子供座席を示した。座席付き育児器具の他の実施形態は、例えば、乳母車である。例えば、図１に示した座席付き育児器具において、ベース部材２０または座部支え部材１３に移動操作のための押棒を取り付ければ、乳母車としての使用が可能になる。本発明の実施形態に係る乳母車では、座席本体の高さ調節が可能であり、この点が、従来の乳母車と異なっている。
【００２３】
さらに他の実施形態として、座部１１と背もたれ部１２とからなる座席形成部材を座部支え部材１３に対して着脱可能に設けてもよい。この実施形態の場合、取外した座席形成部材を自動車の座席上に設置するチャイルドシートとして使用することも可能である。
【００２４】
本発明を座席運搬車に適用することも可能である。座席運搬車は、座席の座部を支えるための座部支え部材と、座部支え部材を高さ調節可能に支持するベース部材と、上端部がベース部材に連結され、下端部に前輪を有する前脚と、上端部がベース部材に連結され、下端部に後輪を有する後脚とを備える。前脚および後脚のうちの少なくともいずれか一方の上端部は、ベース部材に回動可能に連結される。折畳み状態においては、前輪と後輪とが互いに近づいて自立する。座部支え部材またはベース部材に移動操作のための押棒を取り付けるようにしてもよい。
【００２５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２６】
この発明は、折畳み状態における高さおよび占有面積を小さくすることのできる座席付き育児器具および座席運搬車として有利に利用され得る。
【図面の簡単な説明】
【００２７】
【図１】この発明の一実施形態に係る室内用子供座席の図解的側面図である。
【図２】この発明の他の実施形態に係る室内用子供座席の図解的側面図である。
【符号の説明】
【００２８】
１０  座席本体、１１  座部、１２  背もたれ部、１３  座部支え部材、１４  柱部材、１５  ステップ部材、１６  軸、２０  ベース部材、２１  前脚、２２  後脚、２３  前輪、２４  後輪、２５  軸、３１  前脚、３２  後脚、３３  前輪、３４  後輪、３５  軸。
【図１】
2007097815.tif 000003
【図２】
2007097815.tif 000004